(57)【要約】      （修正有）【課題】患部に当たる温度を感じ取りながら不快な熱さを伴わない温灸療法を最大限可能にし、治療後、モグサを速やかに消すことのできる温灸器を提供する。【解決手段】円筒状体にして一端側開口20寄りの周壁に透孔21が形成され、他端側開口25寄りの周壁に通孔26が形成された外筒部材2と、有底円筒体の円筒部3bの筒壁に開孔30が形成され、一端側開口20に蓋をするように外筒部材2へ回動自在にして装着一体化されるキャップ3と、外筒部材2の筒長,筒径よりも筒長,筒径を共に小さくして筒内にモグサ9が詰められる筒体4aに係る一端側開口縁41に、外フランジ部が設けられ、さらに外フランジ部から筒体4aの他端側へ孔42開き短円筒部4cが延設され、且つ筒体4aの他端側を外筒部材2の他端側開口25からその筒内へ挿入することにより外筒部材2の他端側筒壁29に短円筒部4cが当接し外筒部材2へ回動自在にして装着一体化される中筒部材4と、を具備する。【選択図】図１
0003170102.tif 000002
【実用新案登録請求の範囲】
【請求項１】
円筒状体にして、一端側開口(20)寄りの周壁に透孔(21)が形成され、他端側開口(25)寄りの周壁に通孔(26)が形成された外筒部材(2)と、
底部(3a)と円筒部(3b)を備えた有底円筒体にして、その円筒部(3b)の筒壁に開孔(30)が形成され、前記一端側開口(20)に蓋をするように、該外筒部材(2)へ円筒部(3b)の周方向を回動自在にして装着一体化されるキャップ(3)と、
前記外筒部材(2)の筒長(L1),筒径(D)よりも筒長(L2),筒径(d)を共に小さくして筒内にモグサ(9)が詰められる筒体(4a)に係る一端側開口縁(41)に、外フランジ部(4b)が設けられ、さらに該外フランジ部(4b)から該筒体(4a)の他端側へ孔(42)開き短円筒部(4c)が延設され、且つ該筒体(4a)の他端側を前記外筒部材(2)の他端側開口(25)からその筒内へ挿入することにより、該外筒部材(2)の他端側筒壁(29)に該短円筒部(4c)が当接し、該外筒部材(2)へ短円筒部(4c)の周方向を回動自在にして装着一体化される中筒部材(4)と、を具備し、前記外筒部材(2)を固定保持した状態下、該キャップ(3)を回して該開孔(30)を前記透孔(21)に合わせ、該中筒部材(4)を回して前記孔(42)を前記通孔(26)に合わせて、該開孔と該孔が導通するようにしたことを特徴とする温灸器。
【請求項２】
前記外筒部材(2)が一端側の大径円筒部(2a)と該大径円筒部から筒径が他端側へ向かって徐々に縮小するコーン部(2b)と該コーン部から延設される小径円筒部(2c)とを有し、且つ該大径円筒部(2a)に前記透孔(21)が形成され、小径円筒部(2c)に前記通孔(26)が形成される請求項１記載の温灸器。
【請求項３】
前記外筒部材(2)とキャップ(3)と中筒部材(4)とがいずれも金属製で、且つ該キャップ(3)の底部(3a)が中央に向けて外方へ膨らむ丸みを有するよう形成され、さらに前記外筒部材(2)の他端側筒壁(29)に装着一体化される中筒部材(4)に係る前記筒体(4a)の先端(49)が前記大径円筒部(2a)内に配されるようにした請求項２記載の温灸器。
【考案の詳細な説明】
【技術分野】
【０００１】
本考案は、灸療法に用いられる温灸器に関する。
【背景技術】
【０００２】
温灸とは、「円筒形の器（温灸器）にモグサを入れて点火し、間接に患部を加熱する療法」（広辞苑）で、原則として皮膚に火傷や水膨れができないなどの長所を有する。そして、改良発明がいくつか提案されている（例えば特許文献１）。
【先行技術文献】
【特許文献】
【０００３】
【特許文献１】実公平２−３８７５１号公報
【考案の開示】
【考案が解決しようとする課題】
【０００４】
しかるに、特許文献１の発明は、硬い棒状に圧縮、形成された棒状モグサを使用しなければなかった。また、この棒状モグサには縦通孔が形成され、且つその温灸器のキャップ部材に流出孔が設けられていることから縦通孔に空気が入り込み易く、治療が終わって棒状モグサを消すのが難儀であった。別に火消し筒を用意して被せたり、さらには棒状モグサを抜き取り、ブリキ缶とか陶磁器製の壷などの中に入れて消したりしなければならなかった。加えて、「火力の調整は、温灸キャップ部材７と円筒状本体２または２ｂとの嵌合部分に設けられた空気流入孔１１ｂの開度を増減させることで行うことが可能」とあるが、「７は温灸キャップ部材で、前記円筒状本体２の前端部に、同一軸心的に、嵌脱自在に装着」とあり、図面を見る限り棒状モグサより若干大きめの円筒体であり、火力の微妙な調整が難しくなっている。
棒状モグサの火力がどのようになっているか、外から見えず、また断熱材で巻着された把持部たる円筒体を握っても見極めるのが困難で、空気流入孔１１ｂの開度を調整する段階では、直ちに温度上昇を止められない虞がある。さらに、モグサの熱を受ける空間が小さく、温度の上下動が激しく、急上昇する虞があった。さらにいえば、把持部を兼ねる円筒状本体は「アルミニウム製のモグサ支持部３およびこれと一体的な内筒４の外周に、適当な肉厚を有する石綿布その他の断熱材５を巻着し、さらにその外周面には、例えば、手ざわりのよいビロード布などの被覆剤６を接着剤で張り付けて被装してある」とし、患部に接する温灸器の温度を把持する手で感じ取ることは不可能であった。
【０００５】
本考案は上記問題点を解決するもので、棒状モグサを用いず汎用モグサで足り、且つ患部に当たる温度を感じ取りながら、強すぎず且つ不快な熱さを伴わない温灸療法を最大限可能にし、さらに治療が終わった後、モグサを速やかに消すことのできる温灸器を提供することを目的とする。
【課題を解決するための手段】
【０００６】
上記目的を達成すべく、請求項１に記載の考案の要旨は、円筒状体にして、一端側開口(20)寄りの周壁に透孔(21)が形成され、他端側開口(25)寄りの周壁に通孔(26)が形成された外筒部材(2)と、底部(3a)と円筒部(3b)を備えた有底円筒体にして、その円筒部(3b)の筒壁に開孔(30)が形成され、前記一端側開口(20)に蓋をするように、該外筒部材(2)へ円筒部(3b)の周方向を回動自在にして装着一体化されるキャップ(3)と、前記外筒部材(2)の筒長(L1),筒径(D)よりも筒長(L2),筒径(d)を共に小さくして筒内にモグサ(9)が詰められる筒体(4a)に係る一端側開口縁(41)に、外フランジ部(4b)が設けられ、さらに該外フランジ部(4b)から該筒体(4a)の他端側へ孔(42)開き短円筒部(4c)が延設され、且つ該筒体(4a)の他端側を前記外筒部材(2)の他端側開口(25)からその筒内へ挿入することにより、該外筒部材(2)の他端側筒壁(29)に該短円筒部(4c)が当接し、該外筒部材(2)へ短円筒部(4c)の周方向を回動自在にして装着一体化される中筒部材(4)と、を具備し、前記外筒部材(2)を固定保持した状態下、該キャップ(3)を回して該開孔(30)を前記透孔(21)に合わせ、該中筒部材(4)を回して前記孔(42)を前記通孔(26)に合わせて、該開孔と該孔が導通するようにしたことを特徴とする温灸器にある。ここで、「外筒部材(2)の筒径」とは、筒長方向に外筒部材の筒径が変化する場合、その最小筒径とする。
請求項２の発明たる温灸器は、請求項１で、外筒部材(2)が一端側の大径円筒部(2a)と該大径円筒部から筒径が他端側へ向かって徐々に縮小するコーン部(2b)と該コーン部から延設される小径円筒部(2c)とを有し、且つ該大径円筒部(2a)に前記透孔(21)が形成され、小径円筒部(2c)に前記通孔(26)が形成されることを特徴とする。請求項３の発明たる温灸器は、請求項２で、外筒部材(2)とキャップ(3)と中筒部材(4)とがいずれも金属製で、且つ該キャップ(3)の底部(3a)が中央に向けて外方へ膨らむ丸みを有するよう形成され、さらに前記外筒部材(2)の他端側筒壁(29)に装着一体化される中筒部材(4)に係る前記筒体(4a)の先端(49)が前記大径円筒部(2a)内に配されるようにしたことを特徴とする。
【考案の効果】
【０００７】
本考案の温灸器は、特に棒状モグサを使わず、ヨモギの繊毛を精製しただけのモグサを用いることができ、またその温灸器を手で握る部分で、温灸療法を施す温度を容易に感じ取ることができ、且つその温度の微妙なコントロールができ、強すぎず且つ不快な熱さを伴わない温灸療法を最大限可能にし、さらに治療が終わった後は、キャップ,中筒部材を回すだけでモグサを速やかに消すことができるなど多大な効を奏する。
【図面の簡単な説明】
【０００８】
【図１】実施形態１の温灸器で、その概略縦断面図である。
【図２】図１の斜視図である。
【図３】図２の分解斜視図である。
【図４】図２の正面図である。
【図５】（イ）が外フランジ部側から見た中筒部材の斜視図、(ロ）が筒体の先端側から見た中筒部材の斜視図である。
【図６】外筒部材,キャップ,中筒部材の概略縦断面図である。
【図７】実施形態２の温灸器で、その概略縦断面図である。
【考案を実施するための形態】
【０００９】
以下、本考案に係る温灸器について詳述する。
（１）実施形態１
図１〜図６は本考案の温灸器の一形態で、図１はその概略縦断面図、図２は図１の斜視図、図３は図２の分解斜視図、図４は図２の正面図、図５は中筒部材の斜視図、図６は外筒部材,キャップ,中筒部材の概略縦断面図を示す。尚、図１,図３,図６は隆起部２４の図示を省く。
【００１０】
温灸器１は外筒部材２とキャップ３と中筒部材４とを具備する(図１)。外筒部材２は、金属製円筒状体にして、一端側開口２０寄りの周壁に透孔２１が形成され、他端側開口２５寄りの周壁に通孔２６が形成された温灸器１の主要構成部品である。キャップ３が装着される一端側の大径円筒部２ａと、該大径円筒部２ａから筒径が他端側へ向かって徐々に縮小するコーン部２ｂと、該コーン部２ｂから延設される小径円筒部２ｃとを有する。大径円筒部２ａの筒壁に透孔２１が形成され、小径円筒部２ｃの筒壁に通孔２６が形成される。ステンレス鋼製等の金属製外筒部材２が把持部になっているので、把持する手が温灸器１(特に患部体表に接するキャップ底部３ａ)の温度を感じ取り易くなっている。
【００１１】
本実施形態は、大径円筒部２ａの直径を小径円筒部２ｃの直径の約２倍とする(図６)。また、大径円筒部２ａにコーン部２ｂを加えた筒長さを小径筒部の筒長さにほぼ等しくする。キャップ３が装着されたときのなじみを良くするため、大径円筒部２ａとコーン部２ｂの接続部分に隆起部２４が設けられる。ここでは、透孔２１と通孔２６とを、図３のごとく大径円筒部２ａ,小径円筒部２ｃの周方向９０°のピッチでそれぞれ四個ずつ形成する。尚、透孔２１と通孔２６とは図４のように周方向に４５°ずらして設けられているが、図１,図６では図面を判り易くするため、便宜的に周方向に同じ角度,同一ピッチで描く。
【００１２】
キャップ３は底部３ａと円筒部３ｂを備えた金属製有底円筒体にして、その円筒部３ｂの筒壁に開孔３０が形成され、外筒部材２の一端側開口２０に蓋をするように、該外筒部材２へ円筒部３ｂの周方向を回動自在にして装着一体化される蓋体である(図１,図２)。キャップ３もステンレス鋼製等の金属製であるので、熱伝導度が高く、モグサ９の火力は速やかに底部３ａ全体に伝わる。また患部に接するキャップ３の温度が外筒部材２に伝わり、また外筒部材２からも伝えられ温度の均一化が図られ、温灸器１の適格な温度を共有する。
開孔３０の大きさは前記透孔２１の大きさに略等しくする。開孔３０は図６のごとく円筒部３ｂの周方向９０°のピッチで四個形成する。そして、円筒部３ｂの開口縁からの開孔３０までの距離と、外筒部材２の一端側開口縁から透孔２１までの距離をほぼ等しくとって、外筒部材２にキャップ３を装着一体化させ、前記外筒部材２を固定保持した状態下、キャップ３を回して開孔３０を透孔２１に合わせられるようにする。外筒部材２を固定して円筒部３ｂを周方向に回すが、勿論、キャップ３を固定して外筒部材２を回して透孔２１を開孔３０に合わしてもよい。
【００１３】
本実施形態は、底部３ａが中央に向けて図１のごとく外方へ膨らむ丸みを有するよう形成され、温灸器１と温灸が施される体表(患部)との接触を良好にする。特に体表に押し付けられるキャップ３が指圧経路にうまく作用して指圧効果も高めることのできる温灸器１になっている。円筒部３ｂの内径が前記大径円筒部２ａの外径に略等しい。このため、キャップ３が、一端側開口２０の口を塞いで外筒部材２に係る大径円筒部２ａの外周面に被着し、円筒部３ｂを周方向へ摺動自在にして該外筒部材２に一体化される。
【００１４】
中筒部材４は筒体４ａと外フランジ部４ｂと短円筒部４ｃとを備える温灸器１の金属製主要構成部品である(図１,図５)。外筒部材２の筒長Ｌ１,筒径Ｄよりも筒長Ｌ２,筒径ｄが共に小さい筒体４ａに係る一端側開口縁４１に、外フランジ部４ｂが設けられ、且つ該外フランジ部４ｂから筒体４ａの他端側へ孔４２開き短円筒部４ｃが延設される。短円筒部４ｃの軸心は筒体４ａの軸心と同じくする。モグサ９が筒体４ａの筒内４５に詰められる。温灸療法時、モグサ９が例えば図１のように筒体４ａ内ほぼ全域に充填される。そうして、筒体４ａの他端側(外フランジ部４ｂのない側)を外筒部材２の他端側開口２５(ここでは小径円筒部２ｃの開口)からその筒内へ挿入することにより、外筒部材２の他端側筒壁２９に短円筒部４ｃが当接し、外筒部材２へ短円筒部４ｃの周方向を回動自在にして中筒部材４が装着一体化される。
【００１５】
本実施形態は、短円筒部４ｃの内径が外筒部材２に係る小径円筒部２ｃの外径に略等しい。このため、筒体４ａの他端側を外筒部材２の他端側開口２５からその筒内へ挿入すると、短円筒部４ｃが外筒部材２に係る大径円筒部２ａの外周面に当接しながら嵌入し、外フランジ部４ｂが小径円筒部２ｃの開口縁に当たったところで、外筒部材２へ中筒部材４の短円筒部４ｃが被着一体化される。中筒部材４が周方向へ摺動自在に外筒部材２に一体化される。
孔４２の大きさは前記通孔２６の大きさに略等しくし、また外フランジ部４ｂとつながる筒体４ａの一端側から孔４２までの距離と、外筒部材２の他端側開口２５縁から通孔２６までの距離をほぼ等しくする。そして、外筒部材２へ中筒部材４を装着一体化させ、外筒部材２を固定保持した状態下、中筒部材４(ここでは短円筒部４ｃ)を回して孔４２に通孔２６に合わせられるようにする。前記開孔３０も透孔２１に合わせると、筒体４ａの筒長Ｌ２,筒径ｄが外筒部材２の筒長Ｌ１,筒径Ｄよりも共に小さいので、開孔３０と孔４２が導通する構成になる。符号εは短円筒部４ｃと小径円筒部２ｃとの隙間を示す。
また、温灸器１の組付けで、すなわち外筒部材２へのキャップ３,中筒部材４の一体化で、外筒部材２の他端側筒壁２９に装着一体化される中筒部材４に係る筒体４ａの先端４９が、大径円筒部２ａ内に配されるようになっている。温灸療法中、筒体４ａ内に詰められたモグサ９は、その全てが燃えているのでなく、筒体の先端４９側に詰められた部分が燃えている。そして、その周りの外筒部材２は筒体４ａに比べひと回り大きな大径円筒部２ａが配されているので、キャップ３で蓋がなされた大径円筒部２ａの空間が広く、熱容量は大きなものとなっている。モグサ９の発熱による温度の急上昇が抑えられる構造になっている。
【００１６】
次に、前記温灸器１の一使用方法を説明する。中筒部材４の筒体４ａ内にモグサ９を詰め、筒体４ａ先端側のモグサ９を着火する。次いで、筒体４ａの他端側を外筒部材２の他端側開口２５からその筒内へ挿入することにより、外筒部材２の他端側筒壁２９に短円筒部４ｃを当接させ、中筒部材４を外筒部材２に装着一体化する。モグサ９の火力が消えないのを見計らって、外筒部材２の大径円筒部２ａにキャップ３を装着する。筒体４ａの筒長が外筒部材２の筒長よりも短いので、モグサ９の点火した部分がキャップ底部３ａから離れた位置にある(図１)。
【００１７】
その後、外筒部材２,時にキャップ３の一部を手に持って、キャップ３を回して開孔３０を透孔２１に合わせ、また中筒部材４を回して孔４２を通孔２６に合わせて、温灸器１のモグサ９による発熱温度を適宜調節しながら、患部体表にキャップ３の底部３ａを当て温灸療法を施す。筒体４の筒長Ｌ２,筒径ｄが外筒部材２の筒長Ｌ１,筒径Ｄよりも共に小さいので、外筒部材２にキャップ３,中筒部材４が組み付けられると、筒体４ａと外筒部材２の小径円筒部２ｃ間に隙間εができる。開孔３０,透孔２１及び孔４２,通孔２６を合わせて開にすることにより、図１の実線矢印のような空気の流れを生む。
外筒部材２,キャップ３から手に伝わる温灸器１(詳しくは底部３ａ)の温度が高く感じるようになれば、随時、外筒部材２に対しキャップ３や中筒部材４を相対的に回動させて、開孔３０と透孔２１の開度を小さくしたり、孔４２と通孔２６の開度を小さくしたりして温度を下げる。逆に温度が低くなれば、開度を大きくして所望の温度に上げ調整する。
こうして、適切な温度で患者に負担をかけない温度で温灸療法が施される。モグサ９が燃えた時に出る燃焼ガスは薬効があり、またその芳香によって患者をリラックスさせる効果があるが、図１の実線矢印のごとく孔４２と通孔２６を通り、中筒部材４と外筒部材２との間を通過したエアが、燃焼ガス,芳香(図１の鎖線矢印)を伴って透孔２１,開孔３０から患者へと届けられる。
【００１８】
前記温灸療法の時間経過と共に、モグサ９が燃焼し筒体４ａ内に充填されているモグサ９の量が減ってきた場合は、一旦中止することなく、中筒部材４に係る筒体４ａの一端側開口２０から新たなモグサ９を追加充填する。それによって温灸療法を続行することが可能になっている。
そうして、所望の温灸療法の治療が施され終了する。温灸療法が終了した時点で、外筒部材２に対しキャップ３や中筒部材４を相対的に回して、開孔３０と透孔２１の開度を閉じ、孔４２と通孔２６の開度を閉じる。外筒部材２の透孔２１,通孔２６からの酸素供給が遮断され、且つ中筒部材４の筒体４ａ内にモグサ９が詰められていることから、該モグサ９が酸欠状態になり、モグサ９の火力は速やかに衰え消火,消失する。
【００１９】
（２）実施形態２
本実施形態は図７のような温灸器１である。キャップ３の円筒部３ｂの外径を外筒部材２の大径円筒部２ａの内径に略等しくする。キャップ３には円筒部３ｂよりも底部３ａ外周縁が張り出して鍔部たる突出部３５が形成される。キャップ３が、一端側開口２０の口を塞いで外筒部材２に係る大径円筒部２ａの内周面に挿着し、周方向へ回動自在に該外筒部材２に装着一体化される。鍔部３５が大径円筒部２ａ内へのキャップ３の過度の挿入を阻止するストッパの役割を担う。
また、中筒部材４に係る短円筒部４ｃの外径を外筒部材２の小径円筒部２ｃの内径に略等しくする。中筒部材４の外フランジ部４ｂには短円筒部４ｃよりも外方へ張り出す突起４４が形成される。ここでの突起４４は短円筒部４ｃの外周縁全てから張り出す円形鍔とする。筒体４ａの他端側を外筒部材２の他端側開口２５からその筒内へ挿入すると、短円筒部４ｃも外筒部材２に係る大径円筒部２ａの内周面に当接しながら挿入され、突起４４が小径円筒部２ｃの開口縁に当たったところで、外筒部材２へ中筒部材４の短円筒部４ｃが挿着一体化される。中筒部材４が周方向へ回動自在に該外筒部材２に装着一体化される。突起４４が大径円筒部２ａ内への中筒部材４の過度の挿入を阻止するストッパとなる。外筒部材２にキャップ３を装着一体化させ、外筒部材２を固定保持した状態下、キャップ３の突出部３５を回して開孔３０を透孔２１に合わせられるようになっている。外筒部材２へ短円筒部４ｃを装着一体化させ、外筒部材２を固定保持した状態下、中筒部材４の突起４４を回して孔４２に通孔２６に合わせられるようになっている。他の構成は、実施形態１と同様で、その説明を省く。実施形態１と同一符号は同一又は相当部分を示す。
【００２０】
（３）効果
このように構成した温灸器１は、特許文献１等にみられる硬い棒状に圧縮、形成された棒状モグサを用いずに、いわゆるヨモギの葉の裏にある繊毛を精製したモグサ９をそのまま中筒部材４の筒体４ａ内に詰めて使用でき、使い勝手に優れる。
また、外筒部材２とキャップ３と中筒部材４と備え、キャップ３を回して開孔３０を透孔２１に合わせ、中筒部材４を回して孔４２を通孔２６に合わせられるので、モグサ９の火力調整が楽である。温灸器１の使用時は、開孔３０と透孔２１の開度調整し、且つ孔４２と通孔２６の開度を調整すると、エアが中筒部材４と外筒部材２との隙間εを通り抜け、図１の矢印のようなエアの流れができるので、温灸器１の温度を制御し易くなっている。そして、筒体の先端４９近くのモグサ９が燃えて出す発熱がキャップ３の底部３ａを温める。筒内４５にモグサ９が詰められる筒体４ａの筒長は、外筒部材２の筒長よりも小さいので、モグサ９の点火した部分がキャップ底部３ａから離れて宙に浮き、温灸器の使用当初にモグサ９の火が消えることがない。また、モグサ９の火力部分が底部３ａに当接しないので、該底部３ａを局部的に熱くすることがない。かくして、該底部３ａを患部の体表に当接させることで、火傷や不快な熱さを伴わずに底部３ａの適度の温熱刺激を与える。図１,図７の実線矢印のような風の通りが良好で、モグサ９が燃えた時に出る薬効のある燃焼ガス及びその芳香が同伴し(図１,図７の鎖線矢印)、患者をリラックスさせる。
【００２１】
また、本温灸器１は手に持つ外筒部材２(さらにキャップ３)が金属製であることから、熱伝導度が極めて優れ、患部の体表に当接させている底部３ａの温度を瞬時に捉え、本温灸器１を用いる温灸療法士等は早めの迅速対応がとれる。患部に接する温灸器１の温度を把持する手で感じ取りながら温灸療法を施すことができる。高齢者は血行が悪く熱さを感じる神経も弱っているため、熱さを訴えるタイミングが遅れることがあるが、こうした問題を一挙に解決できる。
特許文献１の温灸器は断熱材等が存在し、患部体表に接する温灸器の温度を把持する手で感じ取ることはできない。仮に、その温灸器を本考案のごとく全て金属製にできたとしても、患部体表にモグサ燃焼ガスの流出孔が直かに接するので、熱伝導の他、モグサの燃焼に伴う対流熱や輻射熱をストレートに受けるので、把持する手で患部に接する温灸器１の温度を精確に感じ取ることが困難になっている。こうしたことを鑑みれば、本考案の温灸器が極めて優れものになっている。
【００２２】
そして、開孔３０と透孔２１の開度調整や孔４２と通孔２６の開度調整を行うことで、火力の微妙な調整が簡単にでき、強すぎず不快な熱さを伴わない温灸療法を施せる。外筒部材２が一端側の大径円筒部２ａと大径円筒部２ａから筒径が他端側へ向かって徐々に縮小するコーン部２ｂと該コーン部２ｂから延設される小径円筒部２ｃとを有し、且つ該大径円筒部２ａに透孔２１が形成され、小径円筒部２ｃに通孔２６が形成されると、火力の微妙な調整がより一層容易になる。また、外筒部材２の他端側筒壁２９に装着一体化される中筒部材４に係る筒体４ａの先端４９が大径円筒部２ａ内に配されると、モグサ９が燃えて出す発熱で、特許文献１等の従来の温灸器１に比べて一段と熱容量の大きな大径円筒部２ａ内空間を温めることになり、急激な温度変動そのものが従来品に比べ少なくなる。キャップ底部３ａの温度が急上昇する虞もない。さらに、体表に接する底部３ａが中央に向かって外方へ膨らむ丸みのある形状になっているので、温灸療法の過程で指圧効果を発揮し、両者の相乗効果で、血管を拡張させ、血行を促進させる。特許文献１は指圧式温灸器とするが、患部体表に接するはずの中央にモグサ燃焼ガス流出孔が設けられ、実際に接するのは流出孔周囲の環状耐熱性ゴム層にとどまり指圧効果が薄らぐのに比べ、本温灸器１は底部３ａの全体が患部体表に接し、特に中央が膨らむ形状であるので、温灸療法に加え、指圧の働きが有効に作用し、指圧と相まって温灸による効き目が一段と強まるものになっている。
【００２３】
加えて、治療が終わった後、特許文献１の従来品は空気孔流入口を閉じても、モグサ９燃焼ガスの流出孔が開いたままであるので、モグサ９を消すことが困難であるが、本温灸器１は開孔３０と透孔２１の開度および孔４２と通孔２６の開度を閉じることで、酸素供給が遮断され、モグサ９を速やかに消すことができる。特許文献１のように、火消し筒を被せたり、さらに棒状モグサを抜き取り、ブリキ缶とか陶磁器製の壷などの中に入れて消したりしなければならなかったわずらわしさが全くない。
このように本考案の温灸器１は、上述した数々の優れた効果を発揮し極めて有益である。
【００２４】
尚、本考案においては前記実施形態に示すものに限られず、目的,用途に応じて本考案の範囲で種々変更できる。外筒部材２,キャップ３,中筒部材４等の形状,大きさ,個数,材質等は用途に合わせて適宜選択できる。
【符号の説明】
【００２５】
１            温灸器
２            外筒部材
２ａ          大径円筒部
２ｂ          コーン部
２ｃ          小径円筒部
２０          一端側開口
２１          透孔
２５          他端側開口
２６          通孔
２９          外筒本体の他端側筒壁
３            キャップ
３ａ          底部
３ｂ          円筒部
３０          開孔
４            中筒部材
４ａ          筒体
４ｂ          外フランジ部
４ｃ          短円筒部
４１          一端側開口縁
４２          孔
４９          筒体の先端
９            モグサ
【図１】
0003170102.tif 000003
【図２】
0003170102.tif 000004
【図３】
0003170102.tif 000005
【図４】
0003170102.tif 000006
【図５】
0003170102.tif 000007
【図６】
0003170102.tif 000008
【図７】
0003170102.tif 000009